(57)【要約】【課題】迅速かつ柔軟な線量制御領域と目標線量値の変更を実現することにより、作業効率の大幅な向上を図ることのできる治療計画装置を提供する。【解決手段】核医学データ３０２の画素値のうち所定の閾値に相当する複数個の画素から腫瘍輪郭形状線１０１が生成され、第１腫瘍領域１０２ａと第２腫瘍領域１０２ｂとがモニタ２０２上に表示される。メニュー画面から第１腫瘍領域１０２ａを選択し、さらに、核医学データ３０２を目視しながら、マウス２０１を用いて第１腫瘍領域１０２ａ内にサブ領域輪郭形状線１０３を２つ並べて描画すると、第１腫瘍領域１０２ａと第１サブ領域１０４ａと第２サブ領域１０４ｂが線量制御領域１００として設定される。目標線量値入力画面６００の線量制御領域に対応するブランクに目標線量値入力により、線量分布が作成される。【選択図】図１
2011212078.tif 000002
【特許請求の範囲】
【請求項１】
放射線及び粒子線を照射対象に照射するための治療計画装置であって、入力装置と、機能画像および形態画像を記憶する記憶装置と、機能画像および形態画像を表示する表示装置と、演算処理装置とを備え、
前記演算処理装置は、
前記機能画像に基づいて、少なくとも1以上の腫瘍領域を設定する腫瘍領域設定機能と、
前記少なくとも1以上の腫瘍領域から対象となる腫瘍領域を選択し、線量制御領域を設定する線量制御領域設定機能と、
前記線量制御領域に対応する目標線量値を設定する目標線量値設定機能と、
を有することを特徴とする治療計画装置。
【請求項２】
請求項1に記載の治療計画装置において、
前記演算処理装置は、
前記腫瘍領域内に、前記機能画像に基づいて、少なくとも1以上のサブ領域を設定するサブ領域設定機能を更に有し、
前記線量制御領域設定機能は、前記選択した腫瘍領域とこの腫瘍領域に内包されるサブ領域とを合わせて線量制御領域として設定し、
前記目標線量値設定機能は、前記サブ領域に対応する目標線量値を設定する
ことを特徴とする治療計画装置。
【請求項３】
請求項1に記載の治療計画装置において、
前記腫瘍領域設定機能は、前記機能画像の有する画素値に係る閾値に基づいて、輪郭形状線を生成し、前記腫瘍領域を設定する
ことを特徴とする治療計画装置。
【請求項４】
請求項２に記載の治療計画装置において、
前記サブ領域設定機能は、前記機能画像の有する画素値に係る第2閾値に基づいて、輪郭形状線を生成し、前記サブ領域を設定する
ことを特徴とする治療計画装置。
【請求項５】
請求項４に記載の治療計画装置において、
前記サブ領域設定機能は、前記機能画像の画素を前記選択した腫瘍領域内の画素に制限する
ことを特徴とする治療計画装置。
【請求項６】
請求項1に記載の治療計画装置において、
前記腫瘍領域設定機能は、前記機能画像に重ねて輪郭形状線を描画するように、前記入力装置より入力された図形情報に基づいて、前記腫瘍領域を設定する
ことを特徴とする治療計画装置。
【請求項７】
請求項２に記載の治療計画装置において、
前記サブ領域設定機能は、前記機能画像に重ねて輪郭形状線を描画するように、前記入力装置より入力された図形情報に基づいて、前記サブ領域を設定する
ことを特徴とする治療計画装置。
【請求項８】
請求項1に記載の治療計画装置において、
前記演算処理装置は、
前記腫瘍領域設定機能により設定された腫瘍領域を変更する腫瘍領域変更機能を
更に有することを特徴とする治療計画装置。
【請求項９】
請求項２に記載の治療計画装置において、
前記演算処理装置は、
前記サブ領域設定機能により設定されたサブ領域を変更するサブ領域変更機能を
更に有することを特徴とする治療計画装置。
【請求項１０】
請求項８に記載の治療計画装置において、
前記腫瘍領域変更機能は、前記腫瘍領域の輪郭形状線に対応する前記機能画像の画素値に係る閾値を変更するように、前記入力装置より入力された数値情報に基づいて、前記腫瘍領域を変更する
ことを特徴とする治療計画装置。
【請求項１１】
請求項８に記載の治療計画装置において、
前記腫瘍領域変更機能は、前記腫瘍領域の輪郭形状線を形成する図形を変形するように前記入力装置より入力された図形変形情報に基づいて、前記腫瘍領域を変更する
ことを特徴とする治療計画装置。
【請求項１２】
請求項９に記載の治療計画装置において、
前記サブ領域変更機能は、前記サブ領域の輪郭形状線に対応する前記機能画像の画素値に係る第２閾値を変更するように、前記入力装置より入力された数値情報に基づいて、前記サブ領域を変更する
ことを特徴とする治療計画装置。
【請求項１３】
請求項９に記載の治療計画装置において、
前記サブ領域変更機能は、前記サブ領域の輪郭形状線を形成する図形を変形するように前記入力装置より入力された図形変形情報に基づいて、前記サブ領域を変更する
ことを特徴とする治療計画装置。
【請求項１４】
請求項１に記載の治療計画装置において、
前記目標線量値設定機能は、前記記憶装置に予め記憶された初期値に基づいて、前記線量制御領域に対応する目標線量値を設定する
ことを特徴とする治療計画装置。
【請求項１５】
請求項１に記載の治療計画装置において、
前記目標線量値設定機能は、前記入力装置より入力された数値情報に基づいて、前記線量制御領域に対応する目標線量値を設定する
ことを特徴とする治療計画装置。
【請求項１６】
請求項１に記載の治療計画装置において、
前記機能画像は核医学画像または磁気共鳴画像である
ことを特徴とする治療計画装置。
【請求項１７】
請求項１に記載の治療計画装置において、
前記機能画像は複数種類である
ことを特徴とする治療計画装置。
【請求項１８】
請求項２に記載の治療計画装置において、
前記機能画像は第１機能画像と第２機能画像とを含む複数種類であり、
前記演算処理装置は、
この複数種類の機能画像を選択する機能画像選択機能を更に有し、
前記腫瘍領域設定機能は、第１機能画像に基づいて、腫瘍領域を設定し、
前記サブ領域設定機能は、第２機能画像に基づいて、サブ領域を設定する
ことを特徴とする治療計画装置。
【発明の詳細な説明】
【技術分野】
【０００１】
本発明は、放射線及び粒子線を照射対象に照射するための治療計画装置に係り、特に、機能画像に基づいて目標線量値を設定する治療計画装置に関する。
【背景技術】
【０００２】
近年、PET（Positron Emission Tomography）画像やSPECT（Single Photon Emission Computed Tomography）画像に代表される核医学画像やファンクショナルMR (Magneto Resonance) 画像のような機能画像の放射線治療計画装置や粒子線治療計画装置への応用が進んでいる。なお、一般に粒子線治療計画装置も放射線治療計画装置と呼ばれるため、本明細書でも放射線治療装置の名称を用いることにする。
【０００３】
機能画像は、Ｘ線ＣＴ(Computed Tomography)画像のような形態画像とは異なり、腫瘍の活性度を示すことができるという特徴を有する。この特徴を活かし、放射線治療計画において、機能画像は腫瘍の輪郭形状線の入力を支援するために用いられている。
【０００４】
具体的には、非特許文献１に示されているように、核医学画像（機能画像）とＸ線ＣＴ画像（形態画像）とをレジストレーションし機能画像より得られる腫瘍の輪郭形状線に係る図形情報を参照し、形態画像上に定義する腫瘍の輪郭とあわせて利用する。なお腫瘍の輪郭形状線を含む内部の閉領域を腫瘍領域と呼ぶ。
【０００５】
この技術により、形態画像から得られる腫瘍の輪郭と腫瘍の活性度に基づく機能画像から得られる輪郭形状線とを合わせて活用することで、放射線または粒子線治療における治療計画の腫瘍輪郭形状定義がより高精度になった。
【０００６】
また、腫瘍の活性度を可視化できるという機能画像のもつ特徴をさらに活かし、非特許文献２に示されているように、核医学画像の一つであるPET画像を用いて、PET画像の画素値に比例して腫瘍に対し照射する放射線の強度を高めようという技術もある。例えば腫瘍領域の中に耐放射線性があると言われている低酸素の状態があった場合などに、それがＰＥＴ画像の画素値の強弱として表れていると考えられる。そこで、画素値に比例させて放射線の線量を多くすることを実現するような治療計画が提案されている。
【先行技術文献】
【非特許文献】
【０００７】
【非特許文献１】「Biological imaging in radiation therapy: role of positron emission tomography」、Ursula Nestle他、Physics in Medicine and Biology、２００９年、Vol.54、 ｐ．R1- R25
【非特許文献２】「[18F]fluoro-deoxy-glucose positron emission tomography ([18F]FDG-PET) voxel intensity-based intensity-modulated radiation therapy (IMR) for head and neck cancer」、 Barbara Vanderstraeten  他、Radiotherapy and Oncology、2006年、vol.79、ｐｐ．２４９−２５８
【発明の概要】
【発明が解決しようとする課題】
【０００８】
機能画像の画素値に応じ腫瘍に照射する放射線量に強弱を設けることのできる治療計画装置を使用し、操作者（医療関係者）が治療計画を立案する場合、従来技術の治療計画装置は治療計画装置内部の演算装置を用いて機能画像の各画素値に対応させた放射線線量値を設定し、線量分布を作成する。しかしながら、線量分布作成後に、操作者はこれまでの経験や知見を治療計画に反映させたいなど、様々な理由により線量分布を変更したい場合がある。たとえば低酸素の状態と考えられる場合、ある部分（領域）の線量値を演算結果よりも大きくするなどの変更を施す。
【０００９】
このような場合に、機能画像の各画素値に線量値を対応させる従来技術の治療計画装置において、線量値を変更するには、機能画像上の該当する画素値を画素値毎に変更するか、または画素値と線量値とを対応づける関係式を変更する。画素値毎に変更すると、手間がかかり、作業効率が著しく悪い。また、画素値と線量値とを対応付ける関係式を変更すると、関係式が画素値と線量値との1対１対応の関係になっているため、腫瘍領域内の一部分の線量値だけを変更したい場合でも、画像上の同じ画素値を持つ腫瘍領域の他の部分や腫瘍領域以外の線量値まで変わってしまい、操作者の意図する線量分布の変更ができず柔軟性に欠ける。
【００１０】
本発明の目的は、迅速かつ柔軟な線量制御領域と目標線量値の変更を実現することにより、作業効率の大幅な向上を図ることのできる治療計画装置を提供することである。
【課題を解決するための手段】
【００１１】
（１）上記目的を達成するために、本発明は、放射線及び粒子線を照射対象に照射するための治療計画装置であって、入力装置と、機能画像および形態画像を記憶する記憶装置と、機能画像および形態画像を表示する表示装置と、演算処理装置とを備え、前記演算処理装置は、前記機能画像に基づいて、少なくとも1以上の腫瘍領域を設定する腫瘍領域設定機能と、前記少なくとも1以上の腫瘍領域から対象となる腫瘍領域を選択し、線量制御領域を設定する線量制御領域設定機能と、前記線量制御領域に対応する目標線量値を設定する目標線量値設定機能と、を有する。
【００１２】
このように構成した本発明においては、従来技術に係る機能画像の各画素値のみに基づく腫瘍領域設定から、操作者のこれまでの経験や知見を反映させ、操作者の意図する腫瘍領域の範囲設定に変更できる。また、複数の腫瘍領域がある場合、対象となる腫瘍領域のみを選択し、線量制御領域として設定することができる。さらに、この線量制御領域に対応する目標線量値を設定することができる。このように、従来技術に係る線量制御領域と目標線量値から、操作者の意図を反映させた線量制御領域と目標線量値への変更が迅速かつ柔軟にできる。その結果、作業効率の大幅な向上を図ることができる。
【００１３】
（２）上記（１）において、前記演算処理装置は、前記腫瘍領域内に、前記機能画像に基づいて、少なくとも1以上のサブ領域を設定するサブ領域設定機能を更に有し、前記線量制御領域設定機能は、前記選択した腫瘍領域とこの腫瘍領域に内包されるサブ領域とを合わせて線量制御領域として設定し、前記目標線量値設定機能は、前記サブ領域に対応する目標線量値を設定する。
【００１４】
このように、サブ領域を設定することにより、機能画像の各画素値を反映させるとともに、操作者の意図を反映させて、腫瘍領域内に目標線量値の強弱をつけることができる。また、サブ領域と対応する目標線量値の変更が迅速かつ柔軟にできる。その結果、作業効率の大幅な向上を図ることができる。
【００１５】
（３）上記（１）において、前記腫瘍領域設定機能は、前記機能画像の有する画素値に係る閾値に基づいて、輪郭形状線を生成し、前記腫瘍領域を設定する。
【００１６】
適切な閾値を設定することにより、操作者の意図を反映した腫瘍領域の設定が、迅速かつ柔軟にできる。
【００１７】
（４）上記（２）において、前記サブ領域設定機能は、前記機能画像の有する画素値に係る第2閾値に基づいて、輪郭形状線を生成し、前記サブ領域を設定する。
【００１８】
適切な第２閾値を設定することにより、操作者の意図を反映したサブ領域の設定が、迅速かつ柔軟にできる。
【００１９】
（５）上記（４）において、前記サブ領域設定機能は、前記機能画像の画素を前記選択した腫瘍領域内の画素に制限する。
【００２０】
これにより、腫瘍領域以外に意図しないサブ領域を生成することを回避し、かつ効率的にサブ領域を生成できる。
【００２１】
（６）上記（１）において、前記腫瘍領域設定機能は、前記機能画像に重ねて輪郭形状線を描画するように、前記入力装置より入力された図形情報に基づいて、前記腫瘍領域を設定する。
【００２２】
適切に腫瘍領域の輪郭形状線を描画することにより、操作者の意図を反映した腫瘍領域の設定が、迅速かつ柔軟にできる。
【００２３】
（７）上記（２）において、前記サブ領域設定機能は、前記機能画像に重ねて輪郭形状線を描画するように、前記入力装置より入力された図形情報に基づいて、前記サブ領域を設定する。
【００２４】
適切にサブ領域の輪郭形状線を描画することにより、操作者の意図を反映したサブ領域の設定が、迅速かつ柔軟にできる。
【００２５】
（８）上記（１）において、前記演算処理装置は、前記腫瘍領域設定機能により設定された腫瘍領域を変更する腫瘍領域変更機能を更に有する。
【００２６】
（９）上記（２）において、前記演算処理装置は、前記サブ領域設定機能により設定されたサブ領域を変更するサブ領域変更機能を更に有する。
【００２７】
（１０）上記（８）において、前記腫瘍領域変更機能は、前記腫瘍領域の輪郭形状線に対応する前記機能画像の画素値に係る閾値を変更するように、前記入力装置より入力された数値情報に基づいて、前記腫瘍領域を変更する。
【００２８】
（１１）上記（８）において、前記腫瘍領域変更機能は、前記腫瘍領域の輪郭形状線を形成する図形を変形するように前記入力装置より入力された図形変形情報に基づいて、前記腫瘍領域を変更する。
【００２９】
（１２）上記（９）において、前記サブ領域変更機能は、前記サブ領域の輪郭形状線に対応する前記機能画像の画素値に係る第２閾値を変更するように、前記入力装置より入力された数値情報に基づいて、前記サブ領域を変更する。
【００３０】
（１３）上記（９）において、前記サブ領域変更機能は、前記サブ領域の輪郭形状線を形成する図形を変形するように前記入力装置より入力された図形変形情報に基づいて、前記サブ領域を変更する。
【００３１】
このように、線量制御領域設定後においても、腫瘍領域やサブ領域を迅速かつ柔軟に変更できる。
【００３２】
（１４）上記（１）において、前記目標線量値設定機能は、前記記憶装置に予め記憶された初期値に基づいて、前記線量制御領域に対応する目標線量値を設定する。
【００３３】
これにより、目標線量値設定が迅速にできる。
【００３４】
（１５）上記（１）において、前記目標線量値設定機能は、前記入力装置より入力された数値情報に基づいて、前記線量制御領域に対応する目標線量値を設定する。
【００３５】
これにより、目標線量値設定が柔軟にできる。
【００３６】
（１６）上記（１）において、前記機能画像は核医学画像または磁気共鳴画像である。
【００３７】
（１７）上記（１）において、前記機能画像は複数種類である。
【００３８】
（１８）上記（２）において、前記機能画像は第１機能画像と第２機能画像とを含む複数種類であり、前記演算処理装置は、この複数種類の機能画像を選択する機能画像選択機能を更に有し、前記腫瘍領域設定機能は、第１機能画像に基づいて、腫瘍領域を設定し、前記サブ領域設定機能は、第２機能画像に基づいて、サブ領域を設定する。
【００３９】
このように、複数種類の機能画像から選択し、第１機能画像に基づいて腫瘍領域を設定し、第２機能画像に基づいてサブ領域を設定することにより、1種類の機能画像を用いるときに比べ、より的確な線量制御領域設定ができる。
【発明の効果】
【００４０】
本発明によれば、迅速かつ柔軟な線量制御領域と目標線量値の変更を実現することにより、作業効率の大幅な向上を図ることができる。
【図面の簡単な説明】
【００４１】
【図１】腫瘍領域、サブ領域、線量制御領域の模式図である。
【図２】治療計画装置のシステム構成図である。
【図３】演算処理装置（第１実施形態）の処理フローである。
【図４】Ｘ線ＣＴデータと核医学データとを重ね合わせてモニタ上に表示した例である。
【図５】目標線量値入力画面の模式図である。
【図６】線量制御領域の模式図（別例）である。
【図７】演算処理装置（第２実施形態）の処理フローである。
【図８】腫瘍領域設定に用いる機能画像選択画面の模式図を示す。
【発明を実施するための形態】
【００４２】
＜第１実施形態＞
以下、本発明の第１実施形態を図面を用いて説明する。
【００４３】
〜構成〜
図２に本実施形態に係る治療計画装置のシステム構成図を示す。治療計画装置２００は、操作者が治療計画装置に対し指示を入力するための入力装置２０１と、画像や演算結果を表示するためのモニタ２０２と、演算プログラムや画像データ等を記憶するための記憶装置２０３と、演算プログラムを実施したり、画像データ等の処理を実施するために一時的に使用する主記憶装置２０４と、演算プログラムの指令により画像表示処理などの演算処理をおこなう演算処理装置２０５とを備える。
【００４４】
また、治療計画装置２００の外部には、画像データサーバー２１０と呼ばれるＸ線ＣＴ画像のような形態画像や核医学画像をはじめとする機能画像を保管するサーバーがある。これらの画像（形態画像・機能画像）は、Ｘ線ＣＴ画像撮影装置（図示省略）や核医学画像撮影装置（図示省略）により撮影され、ネットワーク２２０等を経由して画像データサーバー２１０に蓄積され保管される。
【００４５】
〜制御〜
図３に、演算処理装置２０５の処理フローを示す。本実施形態に係る治療計画装置の制御を、演算処理装置２０５の処理フローと伴に説明する。
【００４６】
（１）画像データ読込とレジストレーション
治療計画装置２００は、操作者の指示を入力装置２０１を介して入力する。演算処理装置２０５は、読込指示に基づき画像データサーバー２１０より治療計画の立案に使用するＸ線ＣＴ画像のような形態画像及び、たとえば核医学画像のような機能画像をネットワーク２２０経由で記憶装置２０３に読み込む（ステップ１００）。これらの画像データは記憶装置２０３に記憶される。
【００４７】
演算処理装置２０５は、記憶装置２０３に記憶された画像データを更に、主記憶装置２０４に読込み、演算処理装置２０５にロードされた表示プログラムによりモニタ２０２上に表示する（ステップ１１０）。例えば、モニタ２０２上にＸ線ＣＴデータ及び、核医学データを並べて表示したり、重ね合わせて表示したりする。ここで、主記憶装置２０４に読み込まれた後のＸ線ＣＴ画像の画像データをＸ線ＣＴデータ３０１と呼び、核医学画像の画像データを核医学データ３０２と呼ぶ。図４に、Ｘ線ＣＴデータ３０１（人体の輪郭のみ表示する）と核医学データ３０２とを重ね合わせてモニタ２０２上に表示した例を示す。
【００４８】
Ｘ線ＣＴデータ３０１および核医学データ３０２がモニタ２０２上に表示されると、演算処理装置２０５は、操作者の入力指示に基づき、2種類の画像データの空間的位置関係を一致させるためのレジストレーション演算を実施する（ステップ１２０）。レジストレーションには、演算処理装置２０５にあらかじめ用意されている相互情報量等の良く知られている演算アルゴリズムが使用される。なお、操作者の判断により一見してＸ線ＣＴデータ３０１と核医学データ３０２が一致していることが分かる場合は、このステップ１２０の処理は省略されることもある。レジストレーション処理の結果をモニタ２０２上に表示する（ステップ１３０）。操作者は、モニタ２０２上においてレジストレーション処理結果を確認する。
【００４９】
（２）腫瘍領域、サブ領域、線量制御領域の設定
レジストレーション処理の結果が確認されると、演算処理装置２０５は、腫瘍領域の設定を開始する。図１に腫瘍領域、サブ領域、線量制御領域の模式図を示す。演算処理装置２０５は、腫瘍の外部形状に相当する腫瘍輪郭形状線１０１を生成し、この腫瘍輪郭形状線１０１内部にある閉領域を腫瘍領域１０２に設定する（ステップ１４０）。
【００５０】
腫瘍輪郭形状線１０１生成は、下記２つの処理のうち選択的に行なわれる。
【００５１】
その一方の処理について説明する。演算処理装置２０５は予め適切な閾値を設定しており、核医学データ３０２の画素値のうち閾値に相当する複数個の画素から腫瘍輪郭形状線１０１を生成する（ステップ１４０A）。この際、一般的な細線化アルゴリズム等が用いられる。なお、閾値は操作者がテンキー等の入力装置２０１を用いて設定してもよい。
【００５２】
その他方の処理について説明する。操作者はモニタ２０２上に表示されている核医学データ３０２を目視し、マウス等の入力装置２０１を用いて腫瘍輪郭形状線１０１を描くように図形入力する。演算処理装置２０５は入力された図形情報に基づいて腫瘍輪郭形状線１０１を生成する（ステップ１４０Ｂ）。
【００５３】
演算処理装置２０５は、腫瘍領域１０２を複数設定でき、複数の腫瘍領域１０２に対し番号を付す。図１に第１腫瘍領域１０２ａと第２腫瘍領域１０２ｂとを設定した例を示す。
【００５４】
更に本実施形態では必要に応じて、サブ領域の設定を開始する。演算処理装置２０５は、腫瘍領域１０２内にサブ領域輪郭形状線１０３を生成し、このサブ領域輪郭形状線１０３内部にある閉領域をサブ領域１０４に設定する（ステップ１５０）。
【００５５】
サブ領域輪郭形状線１０３生成は、腫瘍輪郭形状線生成処理（ステップ１４０Ａ，Ｂ）と同様の２つの処理のうち選択的に行なわれる。すなわち、サブ領域に係る適切な第２閾値に基づいてサブ領域輪郭形状線１０３を生成する処理（ステップ１５０Ａ）または入力装置２０１より入力された図形情報に基づいてサブ領域輪郭形状線１０３を生成する処理（ステップ１５０Ｂ）のいずれかが選択される。
【００５６】
演算処理装置２０５は、サブ領域１０４を複数設定でき、複数のサブ領域１０４に対し番号を付す。複数のサブ領域１０４は、並んでも、重なって（サブ領域に別のサブ領域が内包される）もよい。複数のサブ領域１０４が重なる場合は、第２閾値とは異なる第３閾値が設定される。
【００５７】
第２閾値に基づいてサブ領域輪郭形状線１０３を生成する処理（ステップ１５０Ａ）が選択された場合、核医学データ３０２の画素のうち腫瘍領域１０２内の画素のみを対象とする。特に、後述する線量制御領域１００として第１腫瘍領域１０２ａが選択された場合、第１腫瘍領域１０２ａ内の画素のみを対象とする。これにより、腫瘍領域１０２以外に意図しないサブ領域１０４を生成することを回避し、かつ効率的にサブ領域１０４を生成できる。
【００５８】
図１に第１腫瘍領域１０２ａ内に第１サブ領域１０４ａと第２サブ領域１０４ｂとを並べて設定した例を示す。
【００５９】
なお、操作者の判断によりサブ領域を設定する必要がない場合は、このステップ１５０の処理は省略される。
【００６０】
線量制御領域の設定について説明する。演算処理装置２０５は、複数の腫瘍領域１０２を設定した場合、複数の腫瘍領域１０２から対象となる腫瘍領域を選択し、線量制御領域１００を設定する。このとき、対象となる腫瘍領域１０２内にサブ領域１０４を設定した場合、選択した腫瘍領域１０２とこの腫瘍領域１０２に内包されるサブ領域１０４とを合わせて線量制御領域１００として設定する（ステップ１６０）。
【００６１】
線量制御領域１００とは、次ステップにおいて目標線量の設定対象および線量計算対象となる領域である。
【００６２】
腫瘍領域選択は、モニタ２０２上に表示されたメニュー画面（図示せず）より対象となる腫瘍領域が選択されると、演算処理装置２０５が選択情報を入力することにより行なわれる。腫瘍領域選択されると、演算処理装置２０５は、選択された腫瘍領域の腫瘍輪郭形状線１０１を太線で表示する。これにより、操作者は腫瘍領域選択されたことを明確に認識できる。
【００６３】
図１に、複数の腫瘍領域から第１腫瘍領域１０２ａ選択した例を示す。第１腫瘍領域１０２ａと、これに内包される第１サブ領域１０４ａと第２サブ領域１０４ｂが合わせて線量制御領域１００として設定される。
【００６４】
一方、演算処理装置２０５は、1つの腫瘍領域１０２を設定した場合、その腫瘍領域１０２を線量制御領域１００として設定する（後述する図６参照）。
【００６５】
（３）腫瘍領域、サブ領域の変更
線量制御領域設定後においても、操作者は腫瘍領域またはサブ領域を更に変更したい場合もある。
【００６６】
演算処理装置２０５は、腫瘍輪郭形状線１０１を変更することで、腫瘍領域１０２を変更する（ステップ１７０）。腫瘍輪郭形状線１０１変更は、腫瘍輪郭形状線生成処理（ステップ１４０Ａ，Ｂ）と同様の２つの処理のうち選択的に行なわれる。すなわち、閾値変更に基づいて腫瘍輪郭形状線１０１を変更する処理（ステップ１７０Ａ）または入力装置２０１より変形された図形変形情報に基づいて腫瘍輪郭形状線１０１を変更する処理（ステップ１７０Ｂ）のいずれかが選択される。
【００６７】
演算処理装置２０５は、サブ領域輪郭形状線１０３を変更することで、サブ領域１０４を変更する（ステップ１８０）。サブ領域輪郭形状線１０３変更は、第２閾値変更に基づいてサブ領域輪郭形状線１０３を変更する処理（ステップ１８０Ａ）または入力装置２０１より変形された図形変形情報に基づいてサブ領域輪郭形状線１０３を変更する処理（ステップ１８０Ｂ）のいずれかが選択され、行なわれる。
【００６８】
なお、操作者の判断により腫瘍領域１０２を変更する必要がない場合は、このステップ１７０の処理は省略される。サブ領域１０４を変更する必要がない場合は、このステップ１８０の処理は省略される。
【００６９】
（４）目標線量値の設定と線量計算
演算処理装置２０５は、線量制御領域１００設定完了後、線量制御領域に対し、目標線量値を設定する（ステップ１９０）。目標線量値設定は、下記２つの処理のうち選択的に行なわれる。
【００７０】
演算処理装置２０５は予め目標線量値に係る適切な初期値を設定しており、指示入力がなければこの初期値に基づいて目標線量値を設定する（ステップ１９０Ａ）。テンキー等の入力装置２０１を介して、目標線量値に係る指示入力があれば、入力された数値情報に基づいて目標線量値を設定する（ステップ１９０Ｂ）。この数値入力は、モニタ２０２上に表示された目標線量値入力画面６００のブランクに適切な数値が入力されることにより行なわれる。図５に、目標線量値入力画面の模式図を示す。本実施形態では例えば、線量値の単位として吸収線量値を表すグレイを用いる。まず線量制御領域全体（第１腫瘍領域１０２ａ）に係るブランク６０１に目標線量値として２０グレイを入力し、さらに、第１サブ領域１０４ａに係るブランク６０２に目標線量値として２５グレイを入力し、第２サブ領域１０４ｂに係るブランク６０３に目標線量値として３０グレイを入力した例を示す。
【００７１】
演算処理装置２０５は、線量制御領域１００設定および目標線量値設定に基づき、予め主記憶装置に２０４にロードされている線量分布予測モジュールを用い体内の線量分布演算をおこなう（ステップ２００）。
【００７２】
〜請求項との対応関係〜
以上において、演算処理装置２０５のステップ１４０の処理は、核医学データ３０２（機能画像）に基づいて、少なくとも1以上の腫瘍領域１０２を設定する腫瘍領域設定機能を構成し、ステップ１５０の処理は、腫瘍領域１０２内に、核医学データ３０２に基づいて、少なくとも1以上のサブ領域１０４を設定するサブ領域設定機能を構成し、ステップ１６０の処理は、少なくとも1以上の腫瘍領域から対象となる腫瘍領域１０２を選択し、この腫瘍領域１０２とこれに内包されるサブ領域１０４とを合わせて線量制御領域１００として設定する線量制御領域設定機能を構成し、ステップ１９０の処理は、線量制御領域１００に対応する目標線量値を設定する目標線量値設定機能を構成する。
【００７３】
ステップ１４０Aの処理は、核医学データ３０２の有する画素値に係る閾値に基づいて、腫瘍輪郭形状線１０１を生成し、腫瘍領域１０２を設定する腫瘍領域設定機能を構成し、ステップ１５０Aの処理は、核医学データ３０２の有する画素値に係る第２閾値に基づいて、サブ領域輪郭形状線１０３を生成し、サブ領域１０４を設定するサブ領域設定機能を構成する。
【００７４】
ステップ１４０Ｂの処理は、核医学データ３０２に重ねて腫瘍輪郭形状線１０１を描画するように、入力装置２０１より入力された図形情報に基づいて、腫瘍領域１０２を設定する腫瘍領域設定機能を構成し、ステップ１５０Ｂの処理は、核医学データ３０２に重ねてサブ領域輪郭形状線１０３を描画するように、入力装置２０１より入力された図形情報に基づいて、サブ領域１０４を設定するサブ領域設定機能を構成する。
【００７５】
ステップ１７０の処理は、ステップ１４０の処理により設定された腫瘍領域１０２を変更する腫瘍領域変更機能を構成し、ステップ１８０の処理は、ステップ１５０の処理により設定されたサブ領域１０４を変更するサブ領域変更機能を構成する。
【００７６】
ステップ１７０Aの処理は、腫瘍輪郭形状線１０１に対応する核医学データ３０２の画素値に係る閾値を変更するように、入力装置２０１より入力された数値情報に基づいて、腫瘍領域１０２を変更する腫瘍領域変更機能を構成し、ステップ１８０Aの処理は、サブ領域輪郭形状線１０３に対応する核医学データ３０２の画素値に係る第２閾値を変更するように、入力装置２０１より入力された数値情報に基づいて、サブ領域１０４を変更するサブ領域変更機能を構成する。
【００７７】
ステップ１７０Ｂの処理は、腫瘍輪郭形状線１０１を形成する図形を変形するように入力装置２０１より入力された図形変形情報に基づいて、腫瘍領域１０２を変更する腫瘍領域変更機能を構成し、ステップ１８０Ｂの処理は、サブ領域輪郭形状線１０３を形成する図形を変形するように入力装置２０１より入力された図形変形情報に基づいて、サブ領域１０４を変更するサブ領域変更機能を構成する。
【００７８】
ステップ１９０Ａの処理は、記憶装置２０３に予め記憶された初期値に基づいて、線量制御領域１００に対応する目標線量値を設定する目標線量値設定機能を構成し、ステップ１９０Ｂの処理は、入力装置２０１より入力された数値情報に基づいて、線量制御領域１００に対応する目標線量値を設定する目標線量値設定機能を構成する。
【００７９】
〜操作〜
操作者による治療計画装置２００の操作の一例について説明する。
【００８０】
操作者は入力装置２０１を操作して一連の指示を入力する。まず、画像データサーバー２１０からＸ線ＣＴデータ３０１と核医学データ３０２を読み込み、モニタ２０２上に表示し、レジストレーション処理を行い、処理結果を確認する（Ｓ１００→Ｓ１１０→Ｓ１２０→Ｓ１３０）。
【００８１】
操作者が、閾値に基づく腫瘍領域設定を選択すると、第１腫瘍領域１０２ａと第２腫瘍領域１０２ｂとがモニタ２０２上に表示される。メニュー画面から第１腫瘍領域１０２ａを選択し、さらに、核医学データ３０２を目視しながら、マウス２０１を用いて第１腫瘍領域１０２ａ内にサブ領域輪郭形状線１０３を２つ並べて描画すると、第１腫瘍領域１０２ａと第１サブ領域１０４ａと第２サブ領域１０４ｂが線量制御領域１００として設定される（Ｓ１４０Ａ→Ｓ１５０Ｂ→Ｓ１６０）（図１参照）。操作者は、線量制御領域設定後においても、マウス２０１を用いて腫瘍輪郭形状線１０１やサブ領域輪郭形状線１０３の形状を変更することで、適宜、線量制御領域１００の設定を変更できる（Ｓ１７０Ｂ→Ｓ１８０Ｂ）。
【００８２】
操作者は、モニタ２０２上に表示された目標線量値入力画面６００の線量制御領域に対応するブランクに目標線量値を入力し、線量分布を作成する（Ｓ１９０Ｂ→Ｓ２００）。
【００８３】
操作者による治療計画装置２００の操作の最も簡単な別の例について説明する。レジストレーション処理結果確認までの操作は共通する。操作者が、腫瘍輪郭形状線１０１に相当する適切な閾値を設定すると、腫瘍領域１０２がモニタ２０２上に表示される。更に操作者がサブ領域設定や腫瘍領域変更の必要なしと判断すると、腫瘍領域１０２が線量制御領域１００として設定される。図６に線量制御領域の模式図を示す。これにより、線量制御領域に対応する適切な目標線量値（初期値）が設定され、線量分布が作成される。（Ｓ１００→Ｓ１１０→Ｓ１２０→Ｓ１３０→Ｓ１４０Ａ→Ｓ１６０→Ｓ１９０Ａ→Ｓ２００）。
【００８４】
〜効果〜
従来技術に係る治療計画装置は、目標線量値が機能画像の画素値との関係式により設定されており、操作者の意図を反映した変更をするときに、迅速性、柔軟性の点で課題があった。
【００８５】
本実施形態の治療計画装置は、操作者の意図を反映した線量制御領域１００（腫瘍領域１０２やサブ領域１０４を含む）の設定や、線量制御領域１００に対応する目標線量値の設定および設定後の再変更が、迅速かつ柔軟にできる。
【００８６】
とくに、腫瘍領域１０２やサブ領域１０４の設定および設定後の再変更は、腫瘍輪郭形状線１０１に相当する閾値やサブ領域輪郭形状線１０３に相当する第２閾値を変更するか、腫瘍輪郭形状線１０１やサブ領域輪郭形状線１０３の図形を変形するか、選択的に行うことにより、迅速かつ柔軟にできる。
【００８７】
その結果、作業効率の大幅な向上を図ることができる。
【００８８】
＜第２実施形態＞
本発明の第２実施形態について説明する。第1実施形態では、1種類の機能画像（核医学画像）を用いたが、複数種類の機能画像を用いてもよい。たとえば、２種類の薬剤を使用した核医学画像を用いた場合について説明する。腫瘍の低酸素状態を把握するためにFMISO([18F]fluoromisonidazole)を放射性薬剤として使用し、腫瘍の周辺領域の浸潤を把握するためにFLT([18F]-fluorine labelled thymidine analogue 3-deoxy-3-[18F]-fluorothymidine)を用いて2種類の核医学画像を撮像する。ここで、FMISOの核医学画像をFMISO画像、FLTの核医学画像をFLT画像と呼ぶ。
【００８９】
第２実施形態に係る治療計画装置のシステム構成は第１実施形態と同じである（図１参照）。図７に、演算処理装置２０５の処理フローを示す。図３に示す、第１実施形態における処理フローにステップ１３５の処理とステップ１４５の処理を付加したものである。
【００９０】
（１）画像データ読込とレジストレーションに係る処理（Ｓ１００→Ｓ１１０→Ｓ１２０→Ｓ１３０）と、（４）目標線量値の設定と線量計算に係る処理（Ｓ１９０→Ｓ２００）は、第1実施形態と同様である。
【００９１】
（２）腫瘍領域、サブ領域、線量制御領域の設定および（３）腫瘍領域、サブ領域の変更について説明する。
【００９２】
核医学画像が複数の場合は、どの核医学画像を用いるのかの選択する必要がある。演算処理装置２０５は、腫瘍領域設定に先立って、腫瘍領域設定に用いる第１機能画像を選択する（ステップ１３５）。第１機能画像選択は、モニタ２０２上に表示された機能画像選択画面７００より対象となる機能画像が選択される（例えば、チェックボックスにチェック挿入）と、演算処理装置２０５が選択情報を入力することにより行なわれる。図８に、腫瘍領域設定に用いる機能画像選択画面７００の模式図を示す。本実施形態では例えば、第１機能画像として、FLT画像を選択した例を示す。
【００９３】
演算処理装置２０５は、FLT画像（第１機能画像）に基づいて、腫瘍領域１０２を設定する（ステップ１４０）。詳細は第1実施形態と同様である。
【００９４】
次に、演算処理装置２０５は、サブ領域設定に先立って、サブ領域設定に用いる第２機能画像を選択する（ステップ１４５）。第２機能画像選択は、モニタ２０２上に表示された機能画像選択画面（図８と同様）より対象となる機能画像が選択されると、演算処理装置２０５が選択情報を入力することにより行なわれる。一般に、第２機能画像として、FMISO画像が選択されることが多い。
【００９５】
演算処理装置２０５は、FMISO画像（第２機能画像）に基づいて、サブ領域１０４を設定する（ステップ１５０）。詳細は第1実施形態と同様である。
【００９６】
これにより、演算処理装置２０５は線量制御領域１００を設定する（ステップ１６０）。
【００９７】
演算処理装置２０５は、既に、ステップ１３５の処理により第１機能画像としてFLT画像を選択し、第２機能画像として、FMISO画像を選択している。線量制御領域設定後において、必要に応じ、演算処理装置２０５は、FLT画像（第１機能画像）に基づいて、腫瘍領域１０２を変更し（ステップ１７０）、FMISO画像（第２機能画像）に基づいて、サブ領域１０４を変更する（ステップ１８０）。
【００９８】
このように、２種類の放射性薬剤による核医学画像（機能画像）から選択し、腫瘍領域設定・変更とサブ領域設定・変更とに別々に用いることにより、1種類の機能画像を用いるときに比べ、より的確な線量制御領域設定ができる。
【００９９】
本実施形態の演算処理装置２０５の処理は、第１実施形態における処理に、機能画像選択処理（ステップ１３５，ステップ１４５）を付加したのみであり、線量制御領域設定が迅速かつ柔軟にできるという第１実施形態の効果も同様に得られる。
【符号の説明】
【０１００】
１００  線量制御領域
１０１  腫瘍輪郭形状線
１０２  腫瘍領域
１０３  サブ領域輪郭形状線
１０４  サブ領域
２００  治療計画装置
２０１  入力装置
２０２  モニタ
２０３  記憶装置
２０４  主記憶装置
２０５  演算処理装置
３０１  Ｘ線ＣＴデータ
３０２  核医学データ
６００  目標線量値入力画面
６０１〜６０３  ブランク
【図１】
2011212078.tif 000003
【図２】
2011212078.tif 000004
【図３】
2011212078.tif 000005
【図４】
2011212078.tif 000006
【図５】
2011212078.tif 000007
【図６】
2011212078.tif 000008
【図７】
2011212078.tif 000009
【図８】
2011212078.tif 000010